(57)【特許請求の範囲】
【請求項１】
複数のＴＶ局の放送チャンネルに関し、所定期間に亘って、全ての放送番組を収録することができるように構成され、録画されたＴＶ番組の映像が記録されたＴＶ番組映像ファイルと、上記録画されたＴＶ番組を放送したＴＶ局名、チャンネル名、番組タイトル、放送日付、放送開始時間、放送経過時間、番組コンテンツの要約、及びタイムコードを有するインデックスが記録されたインデックスファイルとを有するＴＶ番組映像格納手段を備えた録画装置であって、
上記録画されたＴＶ番組の映像のスクリーンショットを、所定時間に亘り連続して作成するスクリーンショット作成手段と、上記インデックスファイルに記録されたインデックスと同一のインデックスを上記スクリーンショットに関して作成し、上記スクリーンショットに関して作成されたインデックスと関連付けてスクリーンショットの画像データを格納するスクリーンショット格納手段と、上記インデックスに対応するスクリーンショットを再生するスクリーンショット再生手段とを備えたことを特徴とする録画装置。
【請求項２】
上記スクリーンショットは、秒単位で作成されることを特徴とする請求項１記載の録画装置。
【請求項３】
上記スクリーンショットは、映像を構成するフレーム単位で作成されることを特徴とする請求項１記載の録画装置。
【請求項４】
上記スクリーンショット作成手段は画像認識機能を有し、録画された映像の中で特定の画像を認識した場合にのみスクリーンショットを作成することを特徴とする請求項１記載の録画装置。
【請求項５】
上記インデックスはＣＳＶファイルにより構成されていることを特徴とする請求項１記載の録画装置。
【請求項６】
上記インデックスはＣＳＶファイルにより構成され、上記録画されたＴＶ番組を放送したＴＶ局名、チャンネル名、番組名、放送日付、放送開始時間、放送経過時間、番組コンテンツの要約、上記スクリーンショットのタイムコードを有することを特徴とする請求項５記載の録画装置。
【請求項７】
録画されたＴＶ番組の映像のスクリーンショットを、所定時間に亘り連続して作成するスクリーンショット作成手段と、上記スクリーンショットに関して作成されたインデックスと関連付けてスクリーンショットの画像データを格納するスクリーンショット格納手段と、上記インデックスに対応するスクリーンショットを再生するスクリーンショット再生手段とを備え、
複数のＴＶ局の放送チャンネルに関し、所定期間に亘って、全ての放送番組を収録することができるように構成された録画装置であって、録画されたＴＶ番組の映像が記録されたＴＶ番組映像ファイルと、上記録画されたＴＶ番組を放送したＴＶ局名、チャンネル名、番組タイトル、放送日付、放送開始時間、放送経過時間、番組コンテンツの要約、及びタイムコードを有するインデックスであって、上記スクリーンショットに関し作成されたインデックスと同一のインデックスが記録されたインデックスファイルとを有するＴＶ番組映像格納手段を備え、ユーザーが所定のスクリーンショットを選択して特定した場合には、上記スクリーンショット格納手段及び上記ＴＶ番組映像格納手段にアクセスして、上記インデックスに基づき、選択されたスクリーンショットに対応する部位のＴＶ番組の映像を抽出し、上記選択されたスクリーンショットの時間的位置からＴＶ番組の映像の再生を行うことができるＴＶ番組映像再生手段を備えていることを特徴とする録画装置。
【発明の詳細な説明】
【技術分野】
【０００１】
本発明は、録画装置に係り、特に、録画映像のスクリーンショットを作成することができる録画装置に関する。
【背景技術】
【０００２】
一般に、パソコンにはスクリーンショット機能が装備されている。このスクリーンショット機能を使用すればモニター上に表示されている画像を、ＢＭＰ、ＰＮＧ、ＪＰＥＧ等の汎用フォーマットにより画像ファイルとしてハードディスク等の記録手段に記録したり、当該画像をプリントアウトすることもできる。
【０００３】
ところで、ＴＶ放送局から放送された様々なＴＶ画像を録画して、事後的に確認、検討したい場合がある。例えば、災害等の事態を収録した番組の録画を使用して、事後に、災害における事態の進行状況の分析を詳細に行いたい場合等である。
【０００４】
また、一般の放送番組において、ある番組の評価を放送後に行う場合に、番組の様々な構成、例えば、複数のＴＶカメラの配置、カメラの使用方法の評価、バラエティ番組の進行状況の確認、当該番組の視聴率との関係で番組を傍聴している観客に、出演者のどの発言が受けたか、というような観点から番組の評価、確認を事後的に行いたい場合がある。
【０００５】
このようなＴＶ画像は、３秒〜６秒連続する映像からなるショットにより構成されていることから、番組を構成する画像を詳細に検討したい場合には、上記各ショットを精査する必要がある。
【０００６】
従って、上記のような場合には、ＴＶ番組の静止画像を、少なくとも秒単位で多数抽出し、当該各静止画像に基づき検討する必要があるが、従来のＴＶ番組映像記録装置には上記のようなスクリーンショット機能は搭載されていないことから、従来の録画装置では上記のような要請に対応することは不可能であった。
【発明の開示】
【発明が解決しようとする課題】
【０００７】
そこで、本願発明は、このような従来の要請に基づくものであって、その課題は、ＴＶで放送された映像を含む様々な映像の録画の各ショットの静止画像を作成して記録し、当該静止画像から、映像の各ショットの事後的な精査を可能とする録画装置を提供することにある。また、本願発明のその他の課題は、記録された各静止画像に対応する映像を、各静止画像の時間的位置から再生することができると共に、スクリーンショットの画像及び音声の認識をさせることにより様々な用途に使用することができる録画装置を提供することにある。
【課題を解決するための手段】
【０００８】
上記課題解決のため請求項１記載の発明にあっては、複数のＴＶ局の放送チャンネルに関し、所定期間に亘って、全ての放送番組を収録することができるように構成され、録画されたＴＶ番組の映像が記録されたＴＶ番組映像ファイルと、上記録画されたＴＶ番組を放送したＴＶ局名、チャンネル名、番組タイトル、放送日付、放送開始時間、放送経過時間、番組コンテンツの要約、及びタイムコードを有するインデックスが記録されたインデックスファイルとを有するＴＶ番組映像格納手段を備えた録画装置であって、上記録画されたＴＶ番組の映像のスクリーンショットを、所定時間に亘り連続して作成するスクリーンショット作成手段と、上記インデックスファイルに記録されたインデックスと同一のインデックスを上記スクリーンショットに関して作成し、上記スクリーンショットに関して作成されたインデックスと関連付けてスクリーンショットの画像データを格納するスクリーンショット格納手段と、上記インデックスに対応するスクリーンショットを再生するスクリーンショット再生手段とを備えたことを特徴とする。
従って、請求項１記載の発明にあっては、例えば、録画されたＴＶ番組の映像を所定の時間範囲内において精査したい場合には、スクリーンショット作成手段により連続してスクリーンショットを作成し、これらのスクリーンショットをスクリーンショット再生手段によりディスプレイ上で確認することができる。
【０００９】
請求項２記載の発明にあっては、上記スクリーンショットは、秒単位で作成されることを特徴とする。従って、請求項２記載の発明にあっては、秒毎にスクリーンショットがスクリーンショット作成手段により作成される。
【００１０】
請求項３記載の発明にあっては、上記スクリーンショットは、映像を構成するフレーム単位で作成されることを特徴とする。上記「フレーム」とは、一般に、動画を構成する静止画像１枚分を指し、ＴＶ放送においては１秒間に３０フレーム（３０ｆｐｓのフレームレート）となっている。従って、請求項３記載の発明にあっては、１秒間に３０枚のスクリーンショットが作成され記録される。
【００１１】
請求項４記載の発明にあっては、上記スクリーンショット作成手段は画像認識機能を有し、録画された映像の中で特定の画像を認識した場合にのみスクリーンショットを作成することを特徴とする。
従って、請求項４記載の発明にあっては、録画された映像の中で特定の画像を上記スクリーンショット作成手段が認識した場合にはスクリーンショットが作成される。
【００１２】
請求項５記載の発明にあっては、上記インデックスはＣＳＶファイルにより構成されていることを特徴とする。上記「ＣＳＶファイル」とは、データを区切って並べたファイル形式をいい、実体はテキストファイルであり、データベースソフトでデータを保存する際に使用するファイル形式である。
【００１３】
請求項６記載の発明にあっては、上記インデックスはＣＳＶファイルにより構成され、上記録画されたＴＶ番組を放送したＴＶ局名、番組タイトル、放送日付、放送開始時間、放送経過時間、番組コンテンツの要約、上記スクリーンショットのタイムコードを有することを特徴とする。
上記「タイムコード」とは、時間、時刻情報を符号化した電気信号であり、本発明にあってはＳＭＰＴＥタイムコードを指す。ＳＭＴＰＥタイムコードは、映像、音響機器の同期および編集に用いられ、最小分解能はフレーム単位である。
【００１４】
請求項７記載の発明にあっては、録画されたＴＶ番組の映像のスクリーンショットを、所定時間に亘り連続して作成するスクリーンショット作成手段と、上記スクリーンショットに関して作成されたインデックスと関連付けてスクリーンショットの画像データを格納するスクリーンショット格納手段と、上記インデックスに対応するスクリーンショットを再生するスクリーンショット再生手段とを備え、複数のＴＶ局の放送チャンネルに関し、所定期間に亘って、全ての放送番組を収録することができるように構成された録画装置であって、録画されたＴＶ番組の映像が記録されたＴＶ番組映像ファイルと、上記録画されたＴＶ番組を放送したＴＶ局名、チャンネル名、番組タイトル、放送日付、放送開始時間、放送経過時間、番組コンテンツの要約、及びタイムコードを有するインデックスであって、上記スクリーンショットに関し作成されたインデックスと同一のインデックスが記録されたインデックスファイルとを有するＴＶ番組映像格納手段を備え、ユーザーが所定のスクリーンショットを選択して特定した場合には、上記スクリーンショット格納手段及び上記ＴＶ番組映像格納手段にアクセスして、上記インデックスに基づき、選択されたスクリーンショットに対応する部位のＴＶ番組の映像を抽出し、上記選択されたスクリーンショットの時間的位置からＴＶ番組の映像の再生を行うことができるＴＶ番組映像再生手段を備えていることを特徴とする。
【００１５】
従って、請求項７記載の発明にあっては、ユーザーが適宜のスクリーンショットを選択した場合には、当該スクリーンショットに対応するＴＶ番組の映像を、当該スクリーンショットの時間的位置から再生することができる。
【発明の効果】
【００１６】
請求項１記載の発明に係る録画装置にあっては、録画されたＴＶ番組の映像のスクリーンショットを、所定時間に亘り連続して作成するスクリーンショット作成手段と、上記スクリーンショットに関して作成されたインデックスと関連付けてスクリーンショットの画像データを格納するスクリーンショット格納手段と、上記インデックスに対応するスクリーンショットを再生するスクリーンショット再生手段とを備えていることから、ユーザーが録画された映像の中で特に精査したい部位を特定した場合には、ユーザーは、スクリーンショット再生手段により、当該インデックスに基づき希望のスクリーンショットを検索し、当該インデックスに対応するスクリーンショットをディスプレイ上で視聴することができる。
【００１７】
その結果、請求項１記載の発明にあっては、例えば、東日本大震災における津波による堤防の決壊等の被害発生に至る過程や、福島第一原子力発電所における原子炉の水素爆発の発生の過程を、政府機関、各種研究機関等が精査する必要がある場合には、ＴＶ放送映像を録画し、本発明にかかるスクリーンショット機能により、当該録画映像のスクリーンショットを連続的に作成して、例えばハードディスク等の格納手段に、各スクリーンショットを特定するインデックスと共に格納しておき、必要時には、上記インデックスを参照することにより、必要とするスクリーンショットを再生して、対象となる映像を静止画像により精査することが可能となる。
その結果、本請求項に係る録画装置によれば、上記のような災害発生の過程を録画されたＴＶ画像により静止画像により詳細に精査することができる。
【００１８】
また、例えば、ＴＶ番組のライブショー、例えば、バラエティ番組、ニュースショー番組等において、複数のＴＶカメラの内、どのカメラアングルによる映像が高視聴率を得ているか、もしくは、どのような番組構成、例えば、出席者のどのような発言、アクション、表情等が高視聴率につながっているか、といった、視聴率の観点からの番組の事後的な分析を、当該録画映像に基づきスクリーンショットを作成することにより、詳細かつ高精度に行うことが可能となる。
【００１９】
さらに、本発明に係るスクリーンショット再生手段により各スクリーンショットを、例えば、ディスプレイ上に多数連続して配置するように再生することにより、いわゆるサムネイルを作成し、ある放送番組の内容を、映像全体を動画として確認することなく、静止画像のみを目で追うことにより把握することもでき、短時間で迅速な番組のレビューを行うことも可能となる。
また、スクリーンショットを画像認識手段により画像認識させることにより画像データとして取得し、上記画像精査作業を行う際の画像データの一覧表等に掲載して効果的に利用することもできる。
【００２０】
請求項２記載の発明にあっては、秒毎にスクリーンショットがスクリーンショット作成手段により作成され、ユーザーはスクリーンショット再生手段によりスクリーンショットを再生することができることから、ユーザーは秒単位のスクリーンショット画像を見て、ＴＶ放送映像を様々な目的のために精査することができる。
【００２１】
請求項３記載の発明にあっては、上記スクリーンショットはＴＶ番組映像を構成するフレーム単位で作成され、ユーザーはスクリーンショット再生手段によりスクリーンショットを再生することができることから、ユーザーはフレーム単位のスクリーンショット画像を見ることにより、１／３０秒単位で、非常に高精度な番組映像の確認、検討を行うことが可能となる。
【００２２】
請求項４記載の発明にあっては、上記スクリーンショット作成手段は画像認識機能を有し、特定の画像を認識した場合にのみスクリーンショットを作成するように構成され、録画された映像の中で特定の画像を上記スクリーンショット作成手段が認識した場合にはスクリーンショットが作成されることから、例えば、ショー等のＴＶ番組の中で、出演している特定のタレントの画像のみを精査したい、というような場合に有効に、容易に特定のタレントのスクリーンショットのみを作成することができる。
【００２３】
請求項５記載の発明にあっては、上記インデックスはＣＳＶファイルにより
構成されていることから、容易に作成、加工することができる。
【００２４】
請求項６記載の発明にあっては、上記録画されたＴＶ番組を放送したＴＶ局名、番組タイトル、放送日付、放送開始時間、放送経過時間、番組コンテンツの要約、上記スクリーンショットのタイムコードをＣＳＶファイルにより作成することができることから、容易に、スクリーンショットによりＴＶ放送映像を精査する際の目印としてのインデックスを作成、加工することができる。
【００２５】
請求項７記載の発明に係る録画装置は、録画されたＴＶ番組の映像のスクリーンショットを、所定時間に亘り連続して作成するスクリーンショット作成手段と、上記スクリーンショットに関して作成されたインデックスと関連付けてスクリーンショットの画像データを格納するスクリーンショット格納手段と、上記インデックスに対応するスクリーンショットを再生するスクリーンショット再生手段とを備え、複数のＴＶ局の放送チャンネルに関し、所定期間に亘って、全ての放送番組を収録することができるように構成された録画装置であって、録画されたＴＶ番組の映像が記録されたＴＶ番組映像ファイルと、上記録画されたＴＶ番組を放送したＴＶ局名、チャンネル名、番組タイトル、放送日付、放送開始時間、放送経過時間、番組コンテンツの要約、及びタイムコードを有するインデックスであって、上記スクリーンショットに関し作成されたインデックスと同一のインデックスが記録されたインデックスファイルとを有するＴＶ番組映像格納手段を備え、ユーザーが所定のスクリーンショットを選択して特定した場合には、上記スクリーンショット格納手段及び上記ＴＶ番組映像格納手段にアクセスして、上記インデックスに基づき、選択されたスクリーンショットに対応する部位のＴＶ番組の映像を抽出し、上記選択されたスクリーンショットの時間的位置からＴＶ番組の映像の再生を行うことができるＴＶ番組映像再生手段を備えていることから、スクリーンショットによるＴＶ番組の映像の精査の過程で、元のＴＶ番組の映像を確認したい場合には、即時に、当該スクリーンショットに対応する時間的位置から元のＴＶ番組の映像を再生することができる。
その結果、本請求項記載の発明にあっては、スクリーンショットとＴＶ番組映像の双方からＴＶ番組映像の精査作業をより綿密に行うことができる。
【００２６】
また、従来より、録画されたＴＶ番組の映像を再生する場合に、不要な映像を一切除外して必要とする映像のみを再生又はダビングしたいという要請がある。
本請求項記載の発明にあっては、上記のように、スクリーンショットは秒単位又はフレーム単位で作成することができるため、各スクリーンショットの画像を確認して適宜選択することにより、不要な映像を排除して再生又はダビングが可能となり、上記要請に応えることができる。
【図面の簡単な説明】
【００２７】
【図１】本発明に係るＴＶ番組映像録画装置の一実施の形態を示す模式構成図である。
【図２】本発明に係るＴＶ番組映像録画装置のスクリーンショットに使用されるインデックスの一例を示す説明図である。
【図３】本発明に係るＴＶ番組映像録画装置により作成されるスクリーンショットと放送されて録画された映像との関係を、時間軸に沿って示す概念図である。
【図４】本発明に係るＴＶ番組映像録画装置により作成される複数のスクリーンショットがディスプレイに連続して表示された状態を示す概念図である。
【発明を実施するための最良の形態】
【００２８】
以下、本発明に係るＴＶ映像録画装置を、添付図面に示す実施の形態を参照しつつ詳細に説明する。
前提として、本実施の形態に係るＴＶ映像録画装置１０は、複数のＴＶ局の放送チャンネルに関し、所定期間（例えば、１週間又は１か月間）に亘って、全ての放送番組を収録することができるように構成されている。
【００２９】
ＴＶ映像録画装置１０は、録画されたＴＶ番組の映像のスクリーンショットを、所定時間に亘り連続して作成するスクリーンショット作成手段１１と、上記スクリーンショットに関して作成されたインデックス１２と関連付けてスクリーンショットの画像データを格納するスクリーンショット格納手段１３と、上記スクリーンショットを再生するスクリーンショット再生手段１４と、作成されたスクリーンショットを表示しうるディスプレイ装置３１を備えている。
【００３０】
図１に示すように、上記スクリーンショット格納手段１３は、例えば、ハードディスク等の記憶媒体により構成されており、内部には、インデックスファイル２５及びスクリーンショット画像データファイル２６が設けられている。
【００３１】
上記スクリーンショット画像データファイル２６の内には、上記スクリーンショット作成手段１１により作成された個々のスクリーンショット画像データが格納されており、各スクリーンショット画像データは、上記インデックスファイル２５内に格納された上記各インデックス１２と対応し、関連付けられている。
【００３２】
上記インデックスファイル２５内に格納された上記インデックス１２は、図２に示すように、ＣＳＶファイルにより構成されている。
【００３３】
本実施の形態にあっては、上記インデックス１２は、上記ＴＶ番組を放送したＴＶ局名１５、チャンネル名１６、番組タイトル１７、放送日付１８、放送開始時間１９、放送経過時間２０、番組コンテンツの要約２１、上記スクリーンショットのタイムコード２２からなる。
後述のように、本実施の形態にあっては、上記インデックス１２の内容は、録画されたＴＶ番組映像に関じて作成されるインデックス（メタデータ）の内容と共通である。
【００３４】
本実施の形態にあっては、上記インデックス１２は、例えば、図２に示されたスクリーンショットのインデックス例においては、ＮＨＫ第一チャンネルの２０１１年８月１０日付の「報道特集」という番組であって、当該番組は午後８時から放送が開始され、放送終了までに６０分であり、番組コンテンツの要約は「東日本大震災における福島第一原子力発電所の被害状況」である。また、当該スクリーンショットに対応するタイムコードは、時２２ａ、分２２ｂ、秒２２Ｃ、フレーム数２２ｄにより特定されている。
【００３５】
従って、本実施の形態にあっては、当該スクリーンショットは、番組開始から１５分４３秒経過後であって、第２６フレームのものであることを示している。
従って、このようなインデックス１２が、複数作成される各スクリーンショットに夫々対応づけられて保存される。
【００３６】
本実施の形態にあっては、上記スクリーンショットはＴＶ番組映像を構成するフレーム単位で作成されている。
従って、本実施の形態に係る録画装置１０にあっては、図３に示すように、本実施の形態に係る録画装置１０により放送され、録画されているＴＶ番組の放送時間Ｔにおいて、例えば、特に、録画映像２９の中で精査したい部位Ａを開始時間Ｔ１と終了時間Ｔ２とにより特定した場合には、この時間内において、画像のフレーム単位で、複数のスクリーンショット３０がスクリーンショット作成手段１１により作成される。
その結果、本実施の形態にあっては、ユーザーは作成されたスクリーンショットを、スクリーンショット再生手段１４によりディスプレイ装置３１上において視聴することができる。
【００３７】
また、本実施の形態に係る録画装置１０は、図１に示すように、録画されたＴＶ番組の映像が記録されたＴＶ番組映像ファイル２７と、上記録画されたＴＶ番組を放送したＴＶ局名、チャンネル名、番組タイトル、放送日付、放送開始時間、放送経過時間、番組コンテンツの要約、及びタイムコードであって、上記スクリーンショットに関し作成されたインデックス１２と同一のインデックス１２ａが記録されたインデックスファイル２８とを有するＴＶ番組映像格納手段２３を備えている。ＴＶ番組映像格納手段２３は、ハードディスク等の適宜の記録媒体により構成されている。
【００３８】
その結果、図３に示すように、ユーザーが、スクリーンショット再生手段１４によりディスプレイ３１上に再生された所定のスクリーンショット３０ａを選択して特定した場合には、上記スクリーンショット格納手段１３及び上記ＴＶ番組映像格納手段２３にアクセスして、上記インデックス１２に基づき、特定されたスクリーンショット３０に対応する部位の録画映像２９を抽出し、当該スクリーンショット３０の時間的位置Ｔｘからスタートして録画映像２９を再生することができるＴＶ番組映像再生手段２４をさらに備えている。
【００３９】
以下、本実施の形態に係る録画装置１０の作用について説明する。
図３に示すように、本実施の形態に係る録画装置１０により放送され、録画されているＴＶ番組の放送時間の中で、例えば、特に、録画映像の中で精査したい部位Ａを開始時間Ｔ１と終了時間Ｔ２とにより特定した場合には、この時間内において、各ショットを構成するフレーム単位又は秒単位で、録画映像２９の複数のスクリーンショット３０がスクリーンショット作成手段１１により作成される。
【００４０】
図１に示すように、作成された各スクリーンショット３０を構成するスクリーンショット画像データは、当該スクリーンショットに関するインデックス１２と関連づけられてスクリーンショット格納手段１３内のスクリーンショット画像データファイル２６に格納される。
【００４１】
また、この際、スクリーンショット作成手段１１は、ＴＶ番組映像格納手段２３のインデックスファイル２８にアクセスして、インデックスファイル２８内に格納されたインデックスから、作成されたスクリーンショットに対応するインデックス情報（ＴＶ局名１５、チャンネル名１６、番組タイトル１７、放送日付１８、放送開始時間１９、放送経過時間２０、番組コンテンツの要約２１、上記スクリーンショットのタイムコード２２）１２ａを確定して取得し、当該インデックス１２ａをスクリーンショット格納手段のインデックスファイル２５にインデックス１２として記録する。
【００４２】
スクリーンショット作成手段１１は、Ｔ１〜Ｔ２に至る間、この作業を繰り返し、Ｔ１〜Ｔ２の間の映像のフレーム毎のスクリーンショット３０を作成して各インデックス１２と共にスクリーンショット格納手段１３内に格納する。
【００４３】
その後、スクリーンショット再生手段１４は、上記スクリーンショット画像データファイル２６内のスクリーンショット３０を、インデックスファイル２５内に記録されたインデックス１２と共に、ディスプレイ３１上に表示する。
この場合、スクリーンショット３０を１件づつ表示することもできれば、図４に示すように、タイムコード順に並べて表示してサムネイルを作成することもできる。この場合には、一覧性に富むことから、ユーザーは、Ｔ１〜Ｔ２の間の録画映像２９をスクリーンショット３０により連続して内容を把握することもでき、また、必要に応じて各スクリーンショット３０を個別に精査することができる。
【００４４】
また、ユーザーが、上記スクリーンショット３０から元の録画映像２９を確認したい場合には、スクリーンショット３０に付されたインデックス１２に関するデータはＴＶ番組映像ファイルに付されたインデックス１２ａと同一であることから、ＴＶ番組映像再生手段２４により、上記インデックス１２に基づき、スクリーンショットに付されたタイムコード２２を基準として、対応する録画映像２９の時間的位置Ｔｘを特定し、その時間的位置Ｔｘからスタートして録画映像２９をディスプレイ３１上に再生することができる。
【００４５】
従って、ユーザーは、スクリーンショット３０と、対応する録画映像２９の双方を確認しながら、ＴＶ番組の映像の精査したい部位Ａの精査作業を行うことができる。
【００４６】
なお、本実施の形態に係るＴＶ映像記録装置１０は、ＬＡＮ、インターネット等のネットワーク通信を介して、複数のパソコン等の端末機に接続して端末機により同時に同一のＴＶ番組の映像の精査作業を行うこともでき、使用の形態は上記実施の形態に限定されない。
本実施の形態にあっては、スクリーンショット３０をフレーム単位で作成する場合を例に説明したが、上記実施の形態に限定されず、秒単位で作成することもできる。
【００４７】
また、上記スクリーンショット作成手段１１は画像認識機能を有していてもよく本実施の形態に限定されない。このように、スクリーンショット作成手段１１が画像認識機能を有する場合には、スクリーンショット作成手段１１が録画映像の中で特定の画像を認識した場合にのみスクリーンショットを作成するように構成されることから、例えば、ショー等のＴＶ番組の中で、出演している特定のタレントの画像のみを精査したい、というような場合に、有効かつ容易に特定のタレントのスクリーンショットのみを作成することができる。
【００４８】
また、医療分野に適用した場合には、例えば、内視鏡検査の際に撮影した映像の内、癌の映像を認識した場合にのみスクリーンショットを作成するようにすることにより、内視鏡を使用した診療の癌検診の精度を向上させることができる。
【符号の説明】
【００４９】
１０  ＴＶ映像録画装置
１１  スクリーンショット作成手段
１２  インデックス
１２ａ  インデックス
１３  スクリーンショット格納手段
１４  スクリーンショット再生手段
１５  ＴＶ局名
１６  チャンネル名
１７  番組タイトル
１８  放送日付
１９  放送時間
２０  放送経過時間
２１  番組コンテンツ要約
２２  タイムコード
２２ａ  時
２２ｂ  分
２２ｃ  秒
２２ｄ  フレーム数
２３  録画ファイル
２４  ＴＶ番組映像再生手段
２５  インデックスファイル
２６  スクリーンショット画像データファイル  
２７  ＴＶ番組映像ファイル  
２８  インデックスファイル  
２９  録画映像
３０  スクリーンショット
３０ａ  所定のスクリーンショット
３１  ディスプレイ装置
Ａ    録画映像の精査したい部位
Ｔ１  開始時間
Ｔ２  終了時間
Ｔｘ  当該スクリーンショットの時間的位置
【図１】
0005945755.tif 000002
【図２】
0005945755.tif 000003
【図３】
0005945755.tif 000004
【図４】
0005945755.tif 000005